(57)【特許請求の範囲】
【請求項１】
鎖で作られた首輪のペットに接するループ状の部分を覆うカバーであって、
布あるいは柔らかい膜状のものを素材とし、両端部に開放口を有し皺ないしは襞によって伸縮可能な細長い円筒状に形成し、
前記鎖の端部を内側から外側に引き出すための開口部を残し前記両端部の開放口を互いに着脱自在に固定する手段を設けたことを特徴とする首輪カバー。
【請求項２】
鎖で作られた首輪のペットに接するループ状の部分を覆うカバーであって、
布あるいは柔らかい膜状のものを素材とし、両端部に開放口を有し皺ないしは襞によって長手方向に伸縮可能な細長い円筒状に形成し、
前記円筒状の側面に前記鎖の端部を内側から外側に引き出すための開口部を設け、
前記両端部の開放口を互いに着脱自在に固定する手段を設けたことを特徴とする首輪カバー。
【請求項３】
素材に防水性ないしは撥水性を有する請求項１又は２のいずれかに記載の首輪カバー。
【発明の詳細な説明】
【０００１】
【発明の属する技術分野】
本発明はペット用の首輪に関し、特にペットの首周りに応じて輪の大きさの調節が可能な、鎖を使用したペット用首輪等に使用するための首輪カバーに関する。
【０００２】
【従来の技術】
従来、犬，猿のようなペットの首輪は、ベルト状の革製のものが多く、輪のサイズは、ペットの大きさに応じて、ベルトに開けた複数の孔の中からバックル固定に適当な孔を選んで調節していた。引き紐は、一端に人の手で持ちやすいように輪が作られているロープなどで、その他端を首輪に取りつけた金具に係合させて使用される。
【０００３】
一方最近では、主として見栄えの良いことから鎖の引き紐と、これに似合うように鎖の首輪が使用されることが多くなりつつある。
鎖の首輪は、通常、金属製の鎖の両端に金属製の輪が付けられていて、図６に示すように一端の輪に鎖の中央部を通すことによってループを形成し、このループに犬などのペットの首を入れて使用する。
図６において、１は鎖、２及び３は鎖１の一端に取りつけた金属輪、４は鎖の中央部に通した金属輪、６は引き紐、１０は犬などのペットである。
ペットの首を通すループ（鎖の輪）の大きさは、鎖の凹凸に金属輪が引っ掛かる位置を変えることで、ペットの首周りに合わせて、自由に調節することができる。なお、金属輪４は、この調節を半固定状態を保つためのものである。
【０００４】
【発明が解決しようとする課題】
前述の鎖の首輪は、使用中でも、輪の大きさが自由に変えられ、見た目にも美しいという特徴があるが、鎖に擦られて首周りの皮膚を傷めるという欠点があり、また、毛の長いペットでは、鎖の孔に付近の毛を挟み込み、特に輪の大きさを変えるために金属輪の位置をずらせるときに付近の毛を巻き込んで引っ張り、ペットが痛がるという欠点がある。
本発明の目的は、このような課題を解決し、ペットの首周りに応じて輪の部分を、使用中に随時変えることができ、しかも、ペットの毛が首輪に挟み込んで引っ張られることがないようにしたペット用の首輪カバーを提供することにある。
【０００５】
【課題を解決するための手段】
前記の課題を解決するための、本発明による首輪カバーは、次のような首輪等に用いられる。すなわちペット用首輪は、対象とするペットの首周りより長い鎖と、前記鎖の両端に取りつけられ前記鎖を通すことができる輪を備えている。
本発明による首輪カバーは、前記輪の一つに前記鎖の中央部を通してできる鎖の輪の部分にペットの毛が挟み込まれないよう覆う。
【０００６】
前記の課題を解決するために、本発明の首輪カバーは、鎖で作られた首輪のペットに接するループ状の部分を覆うカバーであって、布あるいは柔らかい膜状のものを素材とし、両端部に開放口を有し皺ないしは襞によって伸縮可能な細長い円筒状に形成し、前記鎖の端部を内側から外側に引き出すための開口部を残し前記両端部の開放口を互いに着脱自在に固定する手段を設けた構成とする。
【０００７】
あるいは、前記の課題を解決するために、本発明の首輪カバーは、鎖で作られた首輪のペットに接するループ状の部分を覆うカバーであって、布あるいは柔らかい膜状のものを素材とし、両端部に開放口を有し皺ないしは襞によって長手方向に伸縮可能な細長い円筒状に形成し、前記円筒状の側面に前記鎖の端部を内側から外側に引き出すための開口部を設け、前記両端部の開放口を互いに着脱自在に固定する手段を設けた構成とする。
なお首輪カバーの素材として、防水性ないしは撥水性があればさらによい。
【０００８】
【発明の実施の形態】
次に本発明の実施形態について、図面を参照して詳しく説明する。
図１は、ぺっト用首輪の一実施形態例について、本発明の首輪カバーの一部を破断して示した斜視図である。
図２は、本発明の首輪カバーの一実施形態例を示す斜視図である。
図１において、１は鎖，２及び３は鎖１の両端に取りつけた金属輪，４は鎖の中央部に通した金属輪，５は首輪カバーである。なお、金属輪２と３の大きさは同一でも良いが、金属輪３を金属輪２の内側を容易に貫通できる大きさとしておくと使い勝手が良い。
【０００９】
ペットの首を通すループ（鎖の輪）の大きさは、ペットの首周りに合わせて、自由に調節することができ、金属輪４は、この調節を半固定状態を保つためのものであるが、金属輪４の有無で、本発明の特徴が変わることはない。
以下、金属輪４の存在は無視して説明する。
鎖１の中央部が金属輪２の中を通ることによってペットの首を通すループを形成し、鎖の位置をスライドさせることによってループの大きさを変えることができる。このループに犬などのペット１０の首を通し、金属輪３に図示しない引き紐の結合用の金属を係合して使用する。
【００１０】
図１及び２に示すように、首輪カバー５は、細長い円筒状で、柔らかい布あるいは樹脂製などの膜で作られている。首輪カバー５は、その素材の性質上、首輪の覆うべき鎖の輪の部分の形状寸法に応じて皺ができ、あるいは襞を最初から設けられていて、伸縮させることができる。本実施形態例では、短冊型の布を継ぎ目５ｃで縫い合わせている。５ａ，５ｂは首輪カバー４の両端の開口部である。
【００１１】
７ａと７ｂ，８ａと８ｂはいずれも雄と雌の面ファスナの組み合わせで、いずれが雄でいずれが雌でも差し支えはない。
面ファスナ７ａと７ｂ，および８ａと８ｂは、首輪カバー５の一端（開口部５ａ）付近に他端（開口部５ｂ）を着脱自在に固定するための手段として設けられたものである。
面ファスナー７ａ，８ａは、首輪カバー５の筒状の外面に取りつけられ、７ｂ，８ｂは、首輪カバー５の筒状の内面に取りつけられている。
９は首輪カバー５の一方の端部（開口部５ｂ）付近に設けた鎖通過孔で、鎖１の端部を金属輪３とともに首輪カバー５の内側から外側に引き出すためのものである。
【００１２】
なお、首輪カバー５の素材に、防水性があれば、ペットのシャンプーを行う場合など、一々首輪を外さなくてもよい。また、完全な防水性がなくても、撥水性があれば、雨天の外出時に多少濡れてもすぐ乾くので便利である。
また、首輪カバー５のカラー、デザインを色々ものを取り揃え、交換することによって、飼い主の気分を変えることができ、お洒落感覚でペットの外観を引き立てることができる。
【００１３】
図３および図４は、図２の実施形態例の首輪カバーを鎖で作られたペット用の首輪に取りつける方法を示す説明図である。
長く延ばした首輪カバー５を鎖１に取りつけ、首輪がペットの首にすぐ付けられるような形にするためには、先ず首輪カバー５に鎖１を通し、図３に示すように、首輪カバー５の中央部を鎖１とともに金属輪２の孔を通過させる。こうすれば、ペット１０の首を通すループができる。
【００１４】
つぎに図４に示すように、ループの外に出ている鎖１の端部を、その端部に取付けられている金属輪３とともに首輪カバー５の内側から外側に向けて鎖通過孔９を通過させて引き出す。そして、開口部５ｂが開口部５ａの外側になるようにして重ね、面ファスナ７ａと７ｂ，８ａと８ｂを押しつけて固定すればよい。こうすれば、図１のペット用首輪の実施形態例と同様の状態となる。
【００１５】
図５は、図２の実施形態例とは異なる他の首輪カバーの実施形態例について、その両端部を拡大して示した説明図である。
図５の実施形態例は、図２のような鎖１を首輪カバー５の内側から外側に通過させるための鎖通過孔９は、特に設けず、開口部５ａと開口部５ｂの結合を一部残し、ループ外の鎖１の端部を、その端部に取付けられている金属輪３とともにその残した隙間から引き出せるようにしたものである。
【００１６】
図５において、１５は首カバー，１５ａと１５ｂは首カバー１５の両端部の開口部である。１６ａと１６ｂは雄と雌の一組の面ファスナで、両端部の開口部１５ａと１５ｂを結合するためのものである。面ファスナ１６ａと１６ｂはどちらが雄でどちらが雌でもよいが、円周状の開口部の全面を固定するのではなく、一部のみであるので、その隙間から鎖１をスライド自由に通すことができる。
この実施形態例の鎖１への取付け方法も、図４に示す金属輪３の引き出し方法が異なるだけで、図３に示す手順を含む前記方法に準じて行えばよい。
【００１７】
【発明の効果】
以上詳しく説明したように、  本発明の首輪カバーによれば、布あるいは柔らかい膜状のものを素材とし、皺ないしは襞によって伸縮可能な細長い円筒状に形成し、鎖の端部を内側から外側に引き出すための開口部を残し前記両端部の開放口を互いに着脱自在に固定する手段、あるいは鎖の端部を内側から外側に引き出すための鎖貫通孔を設けるとともに両端部の開放口を互いに着脱自在に固定する手段を備えているので、従来の鎖で作られたペット用首輪に、誰でも容易に被せることができるという効果がある。
なお、これらの首輪カバーの素材に防水性あるいは撥水性を持たせることによって、ペットのシャンプーをしたり、雨天の外出などに濡れてもすぐ乾くので、首輪カバーを一々取り外す必要がないというメリットが生じる。
【図面の簡単な説明】
【図１】  首輪と本発明による首輪カバーの関係を説明するための斜視図である。
【図２】  図１の実施形態例に使用する本発明による首輪カバーの実施形態の斜視図である。
【図３】  図２の実施形態例の鎖に取りつける手順を示す説明図である。
【図４】  図２の実施形態例の鎖に取りつける手順を示す説明図である。
【図５】  他の実施形態例の首輪カバーの一部を示す斜視図である。
【図６】  従来の鎖使用の首輪の例を示す説明図である。
【符号の説明】
１  鎖
２，３，４  金属輪
５，１５  首輪カバー
６  引き紐
１０  ペット
【図１】
0003833333.tif 000002
【図２】
0003833333.tif 000003
【図３】
0003833333.tif 000004
【図４】
0003833333.tif 000005
【図５】
0003833333.tif 000006
【図６】
0003833333.tif 000007